(57)【要約】【課題】  本発明は、スライドタッチセンサの両端側にスライドタッチセンサとは独立的に操作可能な操作部を設け、スライドタッチセンサの両端部の機能を該操作部にもたせることにより、誤操作の可能性が小さく確実な操作を行なうことができる表示装置を提供する。【解決手段】  表示装置１であって、画像を表示する表示手段３と、接触位置に応じた信号を出力するスライドタッチセンサ４（５）とを有し、前記スライドタッチセンサ４（５）の両端側に前記スライドタッチセンサ４（５）とは独立的に操作可能な操作部６ａ、６ｂ（６ｃ、６ｄ）が設けられ、前記スライドタッチセンサ４（５）の出力に基づいて、前記表示手段３に表示される操作画面に対する操作が実行され、前記操作部６ａ、６ｂ（６ｃ、６ｄ）の出力に基づいて、前記スライドタッチセンサ４（５）による操作とは異なる前記操作画面に対する操作が実行されることを特徴とする。【選択図】  図１
2006018645.tif 000002
【特許請求の範囲】
【請求項１】
画像を表示する表示手段と、
接触位置に応じた信号を出力するスライドタッチセンサとを有し、
前記スライドタッチセンサの両端側に前記スライドタッチセンサとは独立的に操作可能な操作部が設けられ、
前記スライドタッチセンサの出力に基づいて、前記表示手段に表示される操作画面に対する操作が実行され、
前記操作部の出力に基づいて、前記スライドタッチセンサによる操作とは異なる前記操作画面に対する操作が実行されることを特徴とする表示装置。
【請求項２】
前記スライドタッチセンサおよび前記操作部は、少なくとも前記表示手段の縦方向または横方向に沿って配置されていることを特徴とする請求項１に記載の表示装置。
【請求項３】
前記操作部は、前記スライドタッチセンサと同一のセンサで構成されていることを特徴とする請求項１または２に記載の表示装置。
【請求項４】
前記操作部は、前記スライドタッチセンサと分離されていることを特徴とする請求項１乃至３のいずれかに記載の表示装置。
【請求項５】
前記操作部は、前記スライドタッチセンサの両端部により構成され、前記スライドタッチセンサには前記操作部を独立させるための境界部が設けられていることを特徴とする請求項１乃至３のいずれかに記載の表示装置。
【請求項６】
前記境界部のスライドタッチセンサの出力は、無効とされることを特徴とする請求項５に記載の表示装置。
【発明の詳細な説明】
【技術分野】
【０００１】
本発明は、画像等を表示するための表示装置に関する。
【背景技術】
【０００２】
従来、画像や文字等を表示する表示装置には、画面や画像の操作を行なったり、文字や記号を入力したりするための操作キーが設けられている。特に携帯型の表示装置では、限られたスペースに配置できる操作性の優れた操作キーが望まれている。例えば、携帯電話等の携帯端末装置において、指の接触位置を検出することができる２つの１次元タッチセンサ（以下、接触位置を検出することができるセンサをスライドタッチセンサという）を、画面の縦方向および横方向に沿って設け、接触位置に応じて異なった操作を実行する装置が知られている（特許文献１）。
【特許文献１】特開２００２−３３３９５１号公報
【発明の開示】
【発明が解決しようとする課題】
【０００３】
しかしながら、特許文献１に記載の装置は、例えば文字入力を行う場合、スライドタッチセンサでメニュー項目の選択を実行し、スライドタッチセンサの両端部ではメニュー項目画面のスクロールを実行するように構成されているが、どこまでの範囲が両端部に相当するのか非常に不明瞭であった。従って、スクロールを意図した操作でメニュー項目の選択を行なってしまったり、メニュー項目の選択を意図した操作でスクロールを行なってしまったり、誤操作の可能性が大きいという不具合があった。
本発明は、このような問題点に鑑みなされたものであり、スライドタッチセンサの両端側にスライドタッチセンサとは独立的に操作可能な操作部を設け、スライドタッチセンサの両端部の機能を該操作部にもたせることにより、誤操作の可能性が小さく確実な操作を行なうことができる表示装置を提供するものである。
【課題を解決するための手段】
【０００４】
本発明の表示装置は、画像を表示する表示手段と、接触位置に応じた信号を出力するスライドタッチセンサとを有し、前記スライドタッチセンサの両端側に前記スライドタッチセンサとは独立的に操作可能な操作部が設けられ、前記スライドタッチセンサの出力に基づいて、前記表示手段に表示される操作画面に対する操作が実行され、前記操作部の出力に基づいて、前記スライドタッチセンサによる操作とは異なる前記操作画面に対する操作が実行されることを特徴とする。
前記スライドタッチセンサおよび前記操作部は、少なくとも前記表示手段の縦方向または横方向に沿って配置されていることを特徴とする。
前記操作部は、前記スライドタッチセンサと同一のセンサで構成されていることを特徴とする。
前記操作部は、前記スライドタッチセンサと分離されていることを特徴とする。
前記操作部は、前記スライドタッチセンサの両端部により構成され、前記スライドタッチセンサには前記操作部を独立させるための境界部が設けられていることを特徴とする。
前記境界部のスライドタッチセンサの出力は、無効とされることを特徴とする。
【発明の効果】
【０００５】
本発明は、スライドタッチセンサの両端側にスライドタッチセンサとは独立的に操作可能な操作部を設け、スライドタッチセンサの両端部の機能を該操作部にもたせることにより、誤操作の可能性が小さく確実な操作を行なうことができる表示装置を提供することができる。
【発明を実施するための最良の形態】
【０００６】
次に、本発明の内容を詳細に説明するが、本発明はこれら実施の形態に何ら限定されるものではない。
【０００７】
図１は本発明の実施の形態にかかる表示装置１の正面図で、図２は図１の表示装置１を上方から見た上面図である。表示部材２は、液晶パネル等の表示部３、表示部３の縦方向および横方向に沿ってそれぞれ設けられたスライドタッチセンサ４および５、スライドタッチセンサ４、５の両端側にそれぞれ設けられた操作部６ａ〜６ｄ等から構成されている。本体部材７の正面には、表示部３にメニュー画面を表示させる等の画面操作を行う画面操作キー８、メニューの選択、決定等を行なうジョイスティック等のメニュー操作キー９、再生、早送り、録画等の操作を行なうＡＶ操作キー１０、音声の出力を行なうスピーカ１１等が設けられ、側面には記録媒体を挿入できるカードスロット１２が設けられている。本体部材７の上面には、電源キー１３、輝度調整等を行なうための画面調整キー１４、選局キー１５、音量キー１６、他の電子機器を遠隔操作するための信号やデータを送受信する無線送受信部１７、他の電子機器からまたは他の電子機器へ画像信号や音声信号等のデータを送受信する無線送受信部１８等が設けられている。
【０００８】
なお、表示部材２は本体部材７に対して、回転軸１９を中心に回転できるように構成されている。図３は、図１の状態から表示部材２を反時計方向へ９０度回転させた状態を示す図である。
【０００９】
図４は、本発明の表示装置のブロック図である。表示装置１は、他の電子機器からまたは他の電子機器へ画像信号や音声信号等のデータを送受信する無線送受信部１８、画像、映像、音楽または電子ブック等の記録された記録媒体を挿入できるカードスロット１２、カードスロット１２に挿入された記録媒体に記録されたデータを読み取る外部メモリ制御部２０、無線送受信部１８で受信したデータまたは外部メモリ制御部２０のデータのいずれかを選択する切替部２１、切替部２１で選択されたデータの音声信号の信号処理を行なう音声処理部２２、音声処理部２２からの信号に基づいて音声を出力するスピーカ１１、切替部２１で選択されたデータの画像信号の拡大、縮小等の処理を行なうスケーラ２３、スケーラ２３からの画像信号の信号処理を行なう画像処理部２４、表示装置１全体の制御を行なうマイコン２６、各種設定値等が記憶されているＲＯＭ２７、スライドタッチセンサ４、５や各操作キー等を含む操作手段２８、操作手段２８の操作に基づいて画面上に表示される各種調整値や各メニュー等（以下、ＯＳＤという）を発生するＯＳＤ発生部２９、画像処理部２４からの画像信号とＯＳＤ発生部２９からの信号を重畳する重畳部２５、重畳部２５からの信号に基づいて画像を表示する表示部３、操作手段２８の操作に基づいて他の電子機器を遠隔操作するための信号やデータを送受信する無線送受信部１７等から構成される。
【００１０】
以上のような構成により、本発明の表示装置１は、様々の用途に用いることができるものである。例えば、携帯して持ち運びすることができ、家庭内にあるテレビ、ＤＶＤ等の他の電子機器の画像や音声を無線送受信部１８で受信して、離れた場所で他の電子機器の画像や音声を視聴することができる。また、操作部２８の操作により他の電子機器を遠隔操作する信号を無線送受信部１７から送信して、他の電子機器の遠隔操作装置として用いることができる。また、カードスロット１２に記録媒体を挿入して、画像、映像、電子ブック等を見たり、または音楽を聴いたりすることができる。また、図示はしていないが、インターネットと接続できる通信装置を内蔵したり、またはカード型通信装置を挿入できる構成にして、ＷＥＢ画面を閲覧したり、電子メールの送受信等を行なうこともできる。
【００１１】
また、図１乃至図３に示した表示装置１は、表示部材２を回転させて表示部３の向きを変えることができるように構成されている。従って、テレビ、ＤＶＤ等の横長の画像を見る場合は、表示部３が横長の図１の状態で視聴し、電子ブックやＷＥＢ画面等の縦長の画像を見る場合は、表示部３が縦長の図３の状態で視聴することができるので、非常に見やすいものである。さらに、いずれの向きにおいても、本体部材７に設けられた各操作キーの向きは変わらないため、画像に対して常に同じ向きから操作ができ操作性にも優れている。なお、本発明は、表示部材２が回転しない構成の表示装置にも適用できることは勿論である。
【００１２】
また、表示部３に表示されるメニュー等のＯＳＤは、図１の状態では横長の画面に合わせた向きで表示され、図３の状態では縦長の画面に合わせた向きで表示されるようにマイコン２６で制御される。例えば、表示部材２と本体部材７の対向する面等に、表示部材２の回転位置や回転範囲に応じて作動するスイッチを設け、該スイッチの出力に基づいて各画面に合わせた表示を行なうように制御することができる。
【００１３】
次に、スライドタッチセンサ４、５の操作について説明する。
図１に示すように、スライドタッチセンサ４、５は、表示部３の縦方向と横方向に沿ってそれぞれ設けられている。スライドタッチセンサ４、５は、指等で接触することにより、接触位置に応じた信号を出力し、マイコン２６で接触位置を判断することができる。また、スライドタッチセンサ４、５上に接触した指を移動することにより、接触位置に応じた信号の変化に基づいて、移動方向および移動距離を判断することもできる。また、指が接触している時間が所定時間以上か否かを判断して、長押しされたか否かを判断することもできるように構成されている。
【００１４】
スライドタッチセンサ４、５および操作部６ａ〜６ｄの操作の具体例として、表示装置１により他の電子機器を遠隔操作する場合について説明する。
表示装置１は、所望の電子機器を選択して遠隔操作を行うことができる。まず、画面操作キー８のメニューキーを押下して表示されるメニュー（図示せず）からリモコンパネルを選択すると、図５に示すような、遠隔操作の対象となる電子機器を選択するための選択画面が表示される。選択画面には、表示装置１に登録されている電子機器の一覧メニューが表示され、機器名や機種名の他に、電子機器が設置されている場所（リビング、キッチン、寝室等）、電子機器の状態（受信中◎、受信可○、受信不可×等）、遠隔操作信号（ＩＲ信号）をステーションを介して送信するように設定されているか否かの表示（ＩＲ）等も表示されている。また、画面下部には、設置場所（全部、リビング、キッチン等）を示すタブが表示されている。
【００１５】
図５の選択画面から所望の電子機器を選択する時は、スライドタッチセンサ４を用いて行う。すなわち、スライドタッチセンサ４に指を接触することにより、接触した位置に対応する電子機器が選択される。また、選択画面を上下にスクロールしたい場合は、スライドタッチセンサ４の両端側に設けられた操作部６ａ、６ｂに指を接触することにより行なうことができる。すなわち、スライドタッチセンサ４の上端の操作部６ａに指を接触することにより、選択画面を下方向へスクロールさせ、スライドタッチセンサ４の下端の操作部６ｂに指を接触することにより、選択画面を上方向へスクロールさせることができ、接触している間スクロールは継続される。所望の電子機器が選択されると、該電子機器を操作するための操作画面（不図示）が表示される。
【００１６】
なお、選択画面のスクロールは、スライドタッチセンサ４に指を接触させた状態でスクロールさせたい方向へ指を移動させることにより行うように構成することもできる。この場合は、スライドタッチセンサ４の両端の操作部６ａ、６ｂは、スクロールではなく、例えば、選択画面の頁の切り換えとして用いるようにすることができる。
【００１７】
また、画面下部に表示される設置場所（全部、リビング、キッチン等）を示すタブは、スライドタッチセンサ５に指を接触することにより、対応する位置のタブを選択することができる。タブが選択されると、該タブに表示されている設置場所の電子機器の一覧メニューが選択画面として表示される。なお、タブ画面の左右方向のスクロールは、選択画面のスクロールと同様に、スライドタッチセンサ５の両端の操作部６ｃ、６ｄのいずれかに指を接触させることにより行なうことができ、接触している間スクロールは継続される。また、選択画面の操作と同様に、タブ画面のスクロールを、スライドタッチセンサ５に指を接触させたまま移動することより行うように構成することもできる。この場合、スライドタッチセンサ５の両端の操作部６ｃ、６ｄは、スクロールではなく、例えば、タブ画面の頁の切り換えとして用いるようにすることができる。
【００１８】
このように、スライドタッチセンサ４、５の両端側に設けられている操作部６ａ〜６ｄにより、選択画面のスクロールまたは頁切り換えを実行するように構成したので、スライドタッチセンサ４、５の両端部という不明瞭な場所ではなく、確実に操作を行なうことができるものである。
【００１９】
スライドタッチセンサ４、５およびタッチセンサ６ａ〜６ｄの操作の他の具体例として、表示装置１で見ている画像を含むコンテンツ内の他の画像を表示させる場合について説明する。
このようなコンテンツとしては、例えば、カードスロット１２に挿入される記録媒体に記録されたビデオ、電子ブック、電子フォトアルバム等が挙げられる。ビデオの場合は１つのタイトルの中の視聴したい場面、電子ブックの場合は１冊の中の読みたい頁、電子フォトアルバムの場合はアルバムの中の見たい写真等を表示させることができる。
【００２０】
以下、ビデオが再生されて画像が表示部３に表示されている状態を例として説明する。まず、画像が表示部に表示されている状態で、スライドタッチセンサ５に指を接触すると、図６に示すように、スライドタッチセンサ５に沿って操作バー３０が表示部３に表示される。操作バー３０は、ビデオの全体の長さに相当する。操作バー３０には位置指示手段３１も表示され、ビデオ全体の中での現在表示されている画像の位置を示す。なお、操作バー３０を表示部３に表示させる操作手段は、他の操作手段（例えば、ジャンプボタン３２等）で行えるようにしてもよい。この状態で、ビデオの他の画像を見たい場合は、操作バー３０の見たい位置に対応するスライドタッチセンサ５の位置に指を接触することにより、位置指示手段３１がスライドタッチセンサ５の接触位置に対応する位置へ移動し、その位置に相当する画像が表示部３に表示されてその場面から再生が開始される。なお、表示された画像が見たい画像と異なる場合は、この操作を繰り返して見たい画像を表示させるように操作を行うことができる。なお、スライドタッチセンサ４、５は、皮膚が触れただけではスライドタッチセンサ４、５内のスイッチがオンにならず、少し押圧がかかってオンになるように調整されているものとする。このような構成にすると、再生中に操作バー３０が表示されている時に、誤ってスライドタッチセンサ５に接触して画像位置を移動してしまうような誤操作を防止することができる。
【００２１】
操作バー３０が表示されている状態で、スライドタッチセンサ５の両端側の操作部６ｃ、６ｄに指を接触させると、コンテンツ内の先頭位置または最終位置へ移動することができる。すなわち、左側の操作部６ｄに接触すると先頭位置へ、右側の操作部６ｃに接触すると最終位置へ移動するものである。先頭位置または最終位置への移動を、スライドタッチセンサ５の両端部で行なうように構成する場合は、やはり両端部の位置が不明瞭なため、先頭位置または最終位置を確実に指示することは難しかった。本発明によれば、スライドタッチセンサ５の両端側に独立した操作部６ｃ、６ｄが設けられているので、確実に先頭位置または最終位置を指示することができ操作性に優れているものである。また、コンテンツ内のいくつかの位置にインデックスが付されている場合には、スライドタッチセンサ５の両端の操作部６ｃ、６ｄに接触する毎に、次のインデックスの位置へ移動して、最終的に先頭位置または最終位置へ移動するように構成することもできる。
【００２２】
このように、操作部６ａ〜６ｄをスライドタッチセンサ４、５の両端側に近接して設けることにより、操作部６ａ、６ｂとスライドタッチセンサ４および操作部６ｃ、６ｄとスライドタッチセンサ５は、それぞれ一連の関連する操作手段として認識される。従って、スライドタッチセンサ４、５の両端部で行なうような操作を、操作部６ａ〜６ｄで実行する構成にすることにより、わかり易く確実な操作が実現できることになる。
【００２３】
なお、操作部６ａ〜６ｄをスライドタッチセンサ４、５と同じセンサで構成すれば、操作部６ａ、６ｂとスライドタッチセンサ４および操作部６ｃ、６ｄとスライドタッチセンサ５は、それぞれ一連の操作手段であることがより明確に認識される。勿論、操作部６ａ〜６ｄは、スライドタッチセンサ４、５とは異なる操作手段で構成しても構わないものであり、押下することによりスイッチが作動するようなハードボタンでもよい。
【００２４】
また、操作部６ａ〜６ｄをスライドタッチセンサ４、５と分離した操作手段として構成せずに、スライドタッチセンサ４、５の両端部の一部を利用して構成することもできる。この場合は、例えば、図７に示すように、操作部６ａ〜６ｄとスライドタッチセンサ４、５の境界に印刷等を行い、境界部３３を形成する。境界部３３により、スライドタッチセンサ４、５と両端部の操作部６ａ〜６ｄは外観上独立しているように見えるため、操作部６ａ〜６ｄを分離して設けた場合と同様の操作性を得ることができる。なお、境界部３３の部分のセンサは使用しないことになるので、境界部３３に指を触れた時の出力が無効となるように構成することが好ましい。例えば、マイコン２６により境界部３３の出力を無効と判断するように制御することができる。また、境界部３３を凹部または凸部として形成すれば、指で触れただけで境界部３３を認識できるので、ブラインドタッチで操作を行った場合でも操作部６ａ〜６ｄへの移動を確実に行うことができ、操作性はさらに向上するものである。
【００２５】
また、操作部６ａ〜６ｄに指を触れた時に、スクロール、頁切り換え、先頭位置または最終位置への移動等の操作が実行されることになるが、不慣れなユーザにとっては、いきなり画面が切り換わるため何が起こったのかわからず不安になることが考えられる。従って、操作部６ａ〜６ｄに指を触れた時に、対象となる操作を実行すると共に、該操作の内容（「スクロール実行」、「頁切換実行」、「先頭位置へ移動」等）を表示部３の画面上にＯＳＤ表示させる構成にすれば、そのような不安を解消することができるものである。
【図面の簡単な説明】
【００２６】
【図１】本発明の実施の形態にかかる表示装置の正面図。
【図２】図１の表示装置の上面図。
【図３】図１の表示装置において表示部材を９０度回転させた状態を示す正面図。
【図４】本発明の実施の形態にかかる表示装置のブロック図。
【図５】表示部に選択画面が表示された状態を示す表示装置の正面図。
【図６】表示部に操作バーが表示された状態を示す表示装置の正面図。
【図７】本発明の他の実施の形態にかかる表示装置の正面図。
【符号の説明】
【００２７】
１      表示装置
２      表示部材
３      表示部（表示手段）
４      スライドタッチセンサ
５      スライドタッチセンサ
６ａ    操作部
６ｂ    操作部
６ｃ    操作部
６ｄ    操作部
７      本体部材
８      画面操作キー
９      メニュー操作キー
１０    ＡＶ操作キー
１１    スピーカ
１２    カードスロット
１３    電源キー
１４    画面調整キー
１５    選局キー
１６    音量キー
１７    無線送受信部
１８    無線送受信部
１９    回転軸
２０    外部メモリ制御部
２１    切替部
２２    音声処理部
２３    スケーラ
２４    画像処理部
２５    重畳部
２６    マイコン
２７    ＲＯＭ
２８    操作手段
２９    ＯＳＤ発生部
３０    操作バー
３１    位置指示手段
３２    ジャンプボタン
３３    境界部
【図１】
2006018645.tif 000003
【図２】
2006018645.tif 000004
【図３】
2006018645.tif 000005
【図４】
2006018645.tif 000006
【図５】
2006018645.tif 000007
【図６】
2006018645.tif 000008
【図７】
2006018645.tif 000009